(57)【要約】ディスプレイ装置（４０１）は、波形（３３０、３３１）、即ち、電位差の列を印加することにより１つの光学状態から他の光学状態へ変えられる表示素子（１１８）の集合を有する。印加されるべき波形（３３０、３３１）は、当該装置のメモリ内の参照テーブル（４４５）に記憶される。参照テーブル（４４５）は、波形（３３０、３３１）の一部が表示素子（１１８）の異なる集合に対して再利用されるように、順序づけられている。これにより、波形を記憶するための必要メモリが低減される。
2007506135.tif 000002
【特許請求の範囲】
【請求項１】
電気泳動粒子；
夫々が画素電極及び関連したカウンタ電極を有し、前記画素電極と前記カウンタ電極との間に前記電気泳動粒子の一部が存在する、表示素子及び次の表示素子；
表示されるべき入来データに対応する所定の光学状態へ前記表示素子を至らせるよう、前記表示素子の画素電極及び前記表示素子のカウンタ電極へ印加されるべき所望の波形を決定するように設計され、
表示されるべき入来データに対応する所定の次の光学状態へ前記次の表示素子を至らせるよう、前記次の表示素子の画素電極及び前記次の表示素子のカウンタ電極へ印加されるべき所望の次の波形を決定するように設計された、制御部；
1つ又はそれ以上の基準波形を有する参照テーブルを記憶するメモリ；及び
中間メモリ，
を有し、
前記1つ又はそれ以上の基準波形のうちの1つ及び前記１つ又はそれ以上の基準波形のうちの次の１つは、連続フレームで前記中間メモリにより受け取られて記憶され、
前記中間メモリは、前記１つ又はそれ以上の基準波形のうちの前記次の１つの全て又は次の一部を有する次のフレームＮ＋１の前に、前記制御部により前記１つ又はそれ以上の基準波形のうちの前記１つの一部を有するフレームを記憶し、
前記制御部は、更に、前記所望の波形に依存して前記所望の次の波形を発生させるよう配置されている、
ことを特徴とするディスプレイ装置。
【請求項２】
前記制御部は、ライン反転を生ずるように前記所望の次の波形を発生させる、ことを特徴とする請求項１記載のディスプレイ装置。
【請求項３】
前記制御部は、列反転を生ずるように前記所望の次の波形を発生させる、ことを特徴とする請求項１記載のディスプレイ装置。
【請求項４】
前記制御部は、前記所望の波形及び前記所望の次の波形のフレームが前記中間メモリから読み出されて、前記表示素子及び前記次の表示素子へアドレス指定される順序を変更することにより、前記所望の次の波形を発生させる、ことを特徴とする請求項１記載のディスプレイ装置。
【請求項５】
前記制御部は、前記所望の次の波形を発生させるよう前記中間メモリから読み出し可能な更なるフレームを形成するように、前記所望の波形と前記１つ又はそれ以上の基準波形のうちの前記次の１つとの間に、複数の時間遅延を設定する、ことを特徴とする請求項１記載のディスプレイ装置。
【請求項６】
前記中間メモリは、限られた大きさで、且つ、高速なランダムアクセスメモリである、ことを特徴とする請求項１記載のディスプレイ装置。
【請求項７】
前記中間メモリは、前記制御部のＣＰＵのレジスタである、ことを特徴とする請求項６記載のディスプレイ装置。
【請求項８】
当該ディスプレイ装置のスクリーンの一部は、当該ディスプレイ装置の他の部分に対して時間遅延を伴ってアドレス指定される、ことを特徴とする請求項１記載のディスプレイ装置。
【請求項９】
前記所定の光学状態は、グレースケールである、ことを特徴とする請求項１記載のディスプレイ装置。
【請求項１０】
前記所定の光学状態は、カラーである、ことを特徴とする請求項１記載のディスプレイ装置。
【請求項１１】
電気泳動粒子；
画素電極及び関連したカウンタ電極を有し、前記画素電極と前記カウンタ電極との間に前記電気泳動粒子の一部が存在する、表示素子；
表示されるべき入来データに対応する所定の光学状態へ前記表示素子を至らせるよう、前記画素電極及び前記カウンタ電極へ印加されるべき所望の波形を決定するように設計された制御部；及び
1つ又はそれ以上の基準波形を有する参照テーブルを記憶するメモリ，
を有し、
前記制御部は、更に、前記所望の波形を決定するように、前記１つ又はそれ以上の基準波形のうちの１つの一部と、前記基準波形のうちの更なる１つとを結合するよう配置されている、
ことを特徴とするディスプレイ装置。
【請求項１２】
前記制御部は、当該ディスプレイ装置の第２の表示素子へ印加されることが可能な第２の所望の波形から、前記１つ又はそれ以上の基準波形のうちの１つの前記一部を読み出す、ことを特徴とする請求項１１記載のディスプレイ装置。
【請求項１３】
複数の行及び列で配置された表示素子を有するディスプレイ上に情報を表示するためのコンピュータプログラムであって、
コンピュータに、波形の印加によって第１の状態から第２の状態へ前記表示素子の１つ又はそれ以上を変化させるよう構成されたコンピュータコード装置を有し、
前記波形は、基準波形の一部及び更なる基準波形を結合することにより決定される、
ことを特徴とするコンピュータプログラム。
【請求項１４】
前記結合された基準波形の部分は、時間遅延である、ことを特徴とする請求項１３記載のコンピュータプログラム。
【請求項１５】
前記波形は、時間遅延により先行波形とは異なる、ことを特徴とする請求項１３記載のコンピュータプログラム。
【請求項１６】
前記基準波形の一部の少なくとも１フレーム及び前記更なる基準波形の少なくとも１フレームは、前記コンピュータの中間メモリに記憶される、ことを特徴とする請求項１３記載のコンピュータプログラム。
【請求項１７】
ディスプレイ装置の表示素子に情報を表示するための方法であって：
前記表示素子を１つ又はそれ以上の状態へ至らせるために必要な基準波形を表すデータを有する参照テーブルを記憶するステップ；
前記表示素子の所望の状態に対応する前記基準波形を表すデータの少なくとも一部を読み出して、前記基準波形を表すデータの前記少なくとも一部を中間メモリに記憶するステップ；
前記表示素子を前記所望の状態へ至らせるために必要な第２の基準波形を表すデータの一部を前記中間メモリに記憶するステップ；及び
所望の波形を形成するよう、前記表示素子の所望の状態に対応する基準波形を表すデータの少なくとも一部に、前記第２の基準波形を表すデータの一部を挿入するステップ，
を有し、
前記所望の波形は、前記表示素子を前記所望の状態へ至らせるよう、前記表示素子へ印加されることが可能である、
ことを特徴とする方法。
【請求項１８】
前記第２の基準波形を表すデータの一部は、時間遅延フレームを有する、ことを特徴とする請求項１７記載の方法。
【請求項１９】
前記基準波形及び前記第２の基準波形は、同じ波形である、ことを特徴とする請求項１７記載の方法。
【請求項２０】
ディスプレイ装置の表示素子に情報を表示するための方法であって：
前記表示素子を１つ又はそれ以上の状態へ至らせるために必要な基準波形を表すデータを有する参照テーブルを記憶するステップ；
前記表示素子のうちの第１の表示素子の所望の状態に対応する第１の基準波形を表すデータの少なくとも一部を読み出して、前記第１の基準波形を表すデータの前記少なくとも一部を中間メモリに記憶するステップ；
前記表示素子のうちの第２の表示素子の所望の状態に対応する第２の基準波形を表すデータの少なくとも一部を読み出して、前記第２の基準波形を表すデータの前記少なくとも一部を中間メモリに記憶するステップ；及び
第１の所望の波形を発生させるよう、前記第１の基準波形を表すデータの前記少なくとも一部の第１のフレームを読み出し、第２の所望の波形を発生させるよう、前記第２の基準波形を表すデータの前記少なくとも一部の次のフレームと共に、連続して、前記第１の基準波形を表すデータの前記少なくとも一部の第１のフレームを読み出すステップ，
を有し
前記第２の所望の波形は、前記表示素子のうちの第２の表示素子の前記所望の状態へ前記第２の表示素子を至らせるよう、前記第２の表示素子へ印加されることが可能である、
ことを特徴とする方法。
【発明の詳細な説明】
【技術分野】
【０００１】
本発明は、表示素子が電位差の利用により第１から第２の表示状態へ変化する双安定ディスプレイと、伝送のために画像データを記憶して準備し、画像データをディスプレイへ伝送するための装置及び方法とに関する。
【背景技術】
【０００２】
一般に、このような形式のディスプレイ装置は、例えば、モニター、ラップトップ型コンピュータ、パーソナル・デジタル・アシスタント（ＰＤＡ）、携帯電話及び電子手帳、新聞、雑誌などに使用される電気泳動ディスプレイである。
【０００３】
電気泳動ディスプレイは、流体中で荷電粒子を有する電気泳動媒体（電子インク又はＥインク）と、行列で配置された複数の表示素子（画素）と、夫々の画素に結合された第１及び第２の電極と、画像又は他の情報を表示するように、夫々の画素の電極へ電位差を印加し、印加された電位差の値及び継続期間に依存して荷電粒子に電極間の場所を占有させる電圧駆動部とを有する。
【０００４】
上述した形式のディスプレイ装置は、例えば、合衆国マサチューセッツ州ケンブリッジにあるＥインク社により１９９９年４月９日に公開され、「多色サブピクセルを有するフルカラー反射ディスプレイ（Ｆｕｌｌ  Ｃｏｌｏｒ  Ｒｅｆｌｅｃｔｉｖｅ  Ｄｉｓｐｌａｙ  Ｗｉｔｈ  Ｍｕｌｔｉｃｈｒｏｍａｔｉｃ  Ｓｕｂ−Ｐｉｘｅｌｓ）」と題された国際特許出願ＷＯ９９／５３３７３ＷＯより知られる。前記特許出願は、２つの基板を有するディスプレイを開示する。基板のうちの１つは透明であり、他の基板は、行及び列で配置された電極を設けられている。行及び列の電極間の交点は、表示素子、即ち画素に結合されている。表示素子は、薄膜トランジスタ（ＴＦＴ）を介して列電極へ結合されており、ＴＦＴのゲートは、行電極へ結合されている。表示素子と、ＴＦＴトランジスタと、行及び列の電極とから成るこのような配置は、連帯してアクティブマトリクスを形成する。更に、表示素子は、画素電極を有する。行駆動部は、複数の表示素子から成る行を選択し、列駆動部は、列電極及びＴＦＴトランジスタを介して選択された表示素子から成る行へデータ信号を供給する。データ信号は、表示されるべき画像データに対応する。
【０００５】
更に、電気泳動媒体は、画素電極と、透明な基板上に設けられた共通電極との間に設けられている。電気泳動媒体は、約１０から５０ミクロンの複数のマイクロカプセルを有する。夫々のマイクロカプセルは、例えば、流体中に浮かべられた、正に帯電した白色粒子と負に帯電した黒色粒子とを有する。負の電界が共通電極に印加されると、白色粒子は、透明な基板の方向のマイクロカプセルの側に動き、表示素子は可視的となる。同時に、黒色粒子は、外からは見ることができないマイクロカプセルの反対側の画素電極へと動く。負の電界を画素電極へ印加することにより、黒色粒子は、透明な基板の方向のマイクロカプセルの側にある共通電極へと動き、表示素子は暗くなる。電界が取り除かれると、表示素子は、得られた状態のままであり、双安定特性を示す。
【０００６】
ディスプレイ装置におけるグレースケール及びカラー階調度は、マイクロカプセル上側のカウンタ電極へと動く粒子の量を制御することによって生じうる。例えば、電界の強さ及び印加時間の積として求められる正又は負の電界のエネルギーは、マイクロカプセルの上側へと動く粒子の量を制御する。一般的に、このような漸次的変化は、特定の時間期間に電圧パルスを印加することによって作られる。
【０００７】
それらは、画像経歴、滞留時間、温度、湿度、電気泳動ホイル（ｆｏｉｌ）の測方不均一性等によって、極めて影響を及ぼされる。特に、これら及び他の要素をオフセットして、表示素子を所望の光学状態へ至らせるために、単一の電位差よりもむしろ、電位差の列を適用することがしばしば必要である。電位差又は電差の列は、また、本願において波形とも呼ばれる。光学状態間の様々な遷移に対する基準波形は、通常、ディスプレイ装置のメモリにおいて、参照テーブルの形で記憶される。通常、波形は、ディスプレイがアクティブディスプレイの保持率よりも長いアドレス時間を必要とするので、複数のフレームから構成されている。
【０００８】
画像経歴に関して、電子インクディスプレイに随伴する問題は、高いメモリ効果（双安定性）及び滞留時間効果のために、重度の画像保持問題となっている。滞留時間及び画像経歴の影響を低減するために、２００２年５月２４日に出願された先公開されていない同時継続願書ＥＰ０２０７７０１７．８（出願番号ＰＨＮＬ０２０４４１）で過去に開示されているように、駆動電圧パルスの前に一連の短い交流電圧パルスを使用することが提案されている。前の画像を完全に消去するために、より長いパルス時間期間が、望ましくは必要とされる。しかし、画像更新の目に見える度合いが、パルス時間期間の増大に随伴して増大する。この現象は、ＬＣＤにおいてジッタ又はフリッカとして知られる。
【０００９】
ＬＣＤにおいてフリッカを低減するために、ライン又は列の反転が使用された。即ち、偶数ライン／列での駆動パルスの極性が、奇数ライン／列での極性とは反対に又はゼロに変えられる。このように、偶数列でのプラス効果は、奇数の列でのマイナス効果によって補償される。この簡単なライン又は列の反転方法が電子泳動ディスプレイ装置へ適用されると、実際にフリッカは低減される。この反転を実施するための好ましい方法は、ディスプレイの偶数及び奇数の両方の列に対して同じ駆動波形を使用するが、偶数列と比較して少なくとも１つのフレーム時間の遅延を伴って奇数列をアドレス指定し始める。この方法は、２００３年５月２２日に出願された先公開されていない同時継続願書ＥＰ０３１０１４８．０（出願番号ＰＨＮＬ０３０５６０）で過去に開示されている。
【００１０】
これらの発明は、特に、電子インクディスプレイの視認性を著しく改善する一方で、従来技術に比べて、２倍の数の基準波形が参照テーブルに記憶される必要性をもたらす。この付加的なメモリは、このような装置にこの共通の問題を加える。即ち、従来の電子インクディスプレイ装置は、一般に、新しいフレームのデータパルス、幾つかの前のフレームの記憶及び参照テーブルを発生させるために大きな処理回路を必要とする。異なる駆動波形が異なる温度で必要とされるので、参照テーブルは、むしろ大きくなる。テーブルに必要とされるメモリの大きさを低減することが有利である。
【発明の開示】
【発明が解決しようとする課題】
【００１１】
本発明は、波形の大部分がスクリーンの異なる部分に対して再利用されるようにテーブルを順序づけることによって、電気泳動ディスプレイ装置の参照テーブルでの画像更新に使用される波形を記憶するために必要なメモリが低減されるディスプレイを提供することを目的とする。
【課題を解決するための手段】
【００１２】
この機能は、同じ波形を有するが、偶数列と比較して少なくとも１つのフレーム時間の遅延を有する奇数列をアドレス指定し始めるときに、特に有効である。やはり、本発明は、スクリーンのいずれかの部分が他の部分と比較して時間遅延を伴ってアドレス指定される如何なる双安定ディスプレイにおいても実施されて良い。
【００１３】
本発明の更なる有利な実施例は、以下で開示され、独立請求項に記述されている。
【００１４】
本発明のこれら及び他の態様を、後述する実施例を参照して説明し、明らかとする。
【発明を実施するための最良の形態】
【００１５】
図は、略図であって、実寸で描かれているわけではない。更に、全ての図に亘って、同じ参照符号は同じ部品を表わす。
【００１６】
図１は、例えば、数個の表示素子１１８の大きさしか有さない電気泳動ディスプレイ装置１０１の一部の概略断面図である。電気泳動ディスプレイ装置１０１は、ベース基板１０２と、例えばポリエチレンから作られる二つの透明な基板１０３、１０４の間に存在する電子インクを有する電気泳動フィルムとを有する。基板のうちの１つ１０３には、透明な画素電極１０５が設けられており、他の基板１０４には、透明なカウンタ電極１０６が設けられている。電子インクは、約１０から５０ミクロンの複数のマイクロカプセル１０７を有する。夫々のマイクロカプセル１０７は、流体１１０に浮かべられた、正に帯電された白色粒子１０８及び負に帯電された黒色粒子１０９を有する。負の電界がカウンタ電極１０６へ印加されると、白色粒子１０８は、カウンタ電極１０６の方向のマイクロカプセル１０７の側へと動き、表示素子１１８は可視的となる。なお、表示素子１１８は、カウンタ電極１０６と、画素電極１０５と、マイクロカプセル１０７とを有する。同時に、黒色粒子１０９は、外からは見ることができないマイクロカプセル１０７の反対側へと動く。正の電界をカウンタ電極１０６へ印加することにより、黒色粒子１０９は、カウンタ電極１０６の方向のマイクロカプセル１０７の側へと動き、表示素子１１８は暗くなる（図示せず）。電界が取り除かれたときには、粒子１０８、１０９は、得られた状態のままであり、ディスプレイは、双安定特性を示し、ほとんど電力を消費しない。
【００１７】
図２は、能動スイッチング素子と、行駆動部２１６と、列駆動部２２５とを設けられたベース基板２０２の上に積層された電気泳動フィルムを有する画像ディスプレイ装置２０１の等価回路図である。望ましくは、カウンタ電極２０６は、カプセルに包まれた電気泳動インクを有するフィルム上に設けられるが、面内電界による動作の場合には、代替的にベース基板上に設けられうる。ディスプレイ装置２０１は、能動スイッチング素子、本実施例では薄膜トランジスタ（ＴＦＴ）２１９によって、駆動される。ディスプレイ装置２０１は、行、即ち選択電極２１７と、列、即ちデータ電極２１１とが交差する領域にある表示素子の行列を有する。行駆動部２１６は、連続して行電極２１７を選択し、一方、列駆動部２２５は、列電極２１１へデータ信号を供給する。望ましくは、最初に、制御部２１５は、入来データ２１３をデータ信号に加工する。制御部２１５は、中間メモリを有し、前記中間メモリは、制御部２１５のＣＰＵのレジスタであっても良い。列駆動部２２５と行駆動部２１６との間の相互の同期化は、駆動ライン２１２を介して行われる。行駆動部２１６からの選択信号は、薄膜トランジスタ２１９を介して画素電極２２２を選択する。なお、薄膜トランジスタ２１９のゲート電極２２０は、行電極２１７へ電気的に接続されており、そのソース電極２２１は、列電極２１１へ電気的に接続されている。列電極２１１に存在するデータ信号は、ＴＦＴを介してドレイン電極へ結合された表示素子の画素電極２２２へと送られる。実施例において、図１のディスプレイ装置は、また、夫々の表示素子２１８の位置で付加的なキャパシタ２２３を有する。本実施例において、付加的なキャパシタ２２３は、一つ又はそれ以上の蓄積キャパシタライン２２４へ接続されている。ＴＦＴの代わりに、例えばダイオード、ＭＩＭ等のような、他のスイッチング素子が使用されても良い。
【００１８】
図３は、一連の正の電圧パルスが列反転により偶数列３３６及び奇数列３３７へ印加される波形３３０、３３１を一例として示す。横軸３３２、３３３は時間である。縦軸３３４、３３５は、表示素子に印加される電位差の振幅である。ここで、波形３３０、３３１の電圧パルスは、プリセット信号３３８、３３９及び駆動信号３４０、３４１から構成されている。本実施例において、波形は、偶数列３３６では正符号により、及び奇数列３３７では負符号で始まっており、奇数列３３７の波形は、フレーム期間ＴＦ３４２だけ遅延されている。
【００１９】
図４は、一連の連続フレームＮ−１、Ｎ、Ｎ＋１でディスプレイ装置へ供給される画像情報を表示するための従来の電気泳動ディスプレイ装置４０１を示す。ディスプレイ装置は、図２に示した装置と類似する配置を有し、例えば、表示中の現在のフレームＮに対応する表示素子の現在の状態を記憶するための例えばＲＡＭメモリ４２６のようなメモリ手段と、一般に限られた大きさで、且つ、高速なＲＡＭである中間メモリ４１４とで拡張されている。更に、制御部４１５は、表示中の現在のフレームＮに対応する表示素子の記憶された現在の状態と、表示されるべき新しいフレームＮ＋１に対応する表示素子の現在の状態とに依存して、駆動信号４１２を発生させるよう配置されている。駆動信号４１２は、列駆動部４２５へ印加される。
【００２０】
制御部４１５は、表示素子の現在の状態及び表示素子の新しい状態に対応するアドレス入力を有する参照テーブル４４５を有する。その場合、参照テーブルは、１６の波形から成る。参照テーブル４４５のこれら入力は、例えば、４つのグレースケール値のうちの１つであって、フレームＮに対応する現在の状態に対応する第１のグレー値から、同じく４つのグレースケール値のうちの１つであって、フレームＮ＋１に対応する新しい状態にある第２のグレー値への表示素子の遷移に対して波形の所定のパラメータを指し示す。
【００２１】
参照テーブル４４５は、ＲＯＭメモリ内に実現され、制御部４１５の外部にあっても良い。駆動信号は、一定継続期間を有し、且つ、振幅が変化するパルスと、振幅が一定で、極性が変化し、且つ、２つの極値間で継続期間が変化するパルスと、パルス長及び振幅の両方が変化しうるハイブリッド駆動信号とから成っても良い。パルス振幅駆動信号に対して、この所定の駆動パラメータは、その符号を含め、駆動信号の振幅を示す。パルス時間変調駆動信号に対して、所定の駆動パラメータは、駆動信号を生成するパルスの継続期間及び符号を示す。ハイブリッド又はパルス形駆動信号に対して、所定の駆動パラメータは、駆動パルスを生成する部分の振幅及び長さを示す。所定の駆動パラメータは、例えば、８ビット数であっても良い。参照テーブル４４５の夫々の入力に関して、駆動パラメータは、対応するグレーレベル遷移及び様々な所定の動作温度に対して選択される種類の電子インクに対して実験的に決定される。
【００２２】
図５は、従来技術に従う参照テーブルの構成を表す。図５において、水平方向５５０は、ディスプレイの画素へアドレス指定されうる代替的な波形（例えば、図３の３３０。）の夫々に対するアドレス番号５５１を示す。垂直方向５５２は、フレーム番号である。時間遅延は外にある。フレームは、示されているように、図５の上部５５３から下部５５４へ走査される。図５の参照テーブルは、４つのグレーレベルで動作するディスプレイに関する。この場合に、４つの前のグレーレベルのいずれか１つからいずれかの新しいグレーレベルへ画素を変化させるよう、１６の波形が必要とされる。例えば、列反転が上述した理由のいずれかのために使用される状況で、更なる１６の駆動波形は、列の第２の組に対して必要とされる。結果的に、これにより、図５にアドレス番号５５１で示されているように、波形の全てのフレーム期間に対して３２のアドレスを有するメモリが必要となる。図５の行の第１の１６のアドレスは、例えば、偶数列に関し、続く１６のアドレスは、奇数列に関する。アドレスは、リセット、例えば、パルス幅変調方式が使用される場合には、正、負のいずれか一方若しくはゼロ電圧、又は電圧変調駆動部が利用可能である場合には、可変電圧、の全てのフレーム期間の夫々の波形に対して必要とされる電圧を含む。
【００２３】
図６は、例えば、遅延されているが、その他の点では同一である図３に示した駆動波形の列反転が使用される状況における、本発明の実施例に従って構成された参照テーブルを表す。
【００２４】
図６の参照番号は、図５の対応する図の同じ部分について言及する。図６の水平方向６５０は、ディスプレイの画素へアドレス指定されうる代替的な波形の夫々に対するアドレス番号６５１を示す。垂直方向６５２は、フレーム番号である。時間遅延は外にある。フレームは、示されているように、図６の上部６５３から下部６５４へ走査される。
【００２５】
ここで、テーブルは、図５の従来技術の場合に比べ、半分の数のアドレス（本実施例のように、４つのグレーレベルのディスプレイの場合には１６）でしか構成されない。
【００２６】
ディスプレイの動作において：
参照テーブルの第１ラインは、例えば図４の参照番号４１４のような、小さな中間メモリに読み込まれる。
【００２７】
ディスプレイの第１の部分（例えば、偶数列）における画素は、中間メモリ４１４から上部ライン（第１のフレーム番号）からのデータを読み出す。
【００２８】
制御部４１５は、（１フレームの遅延に対する）少なくとも第１及び第２のフレームに関して、参照テーブルを読み出す。このデータは、（このために、２×１６×２＝６４ビットから成る）中間メモリ４１４に保持される。
【００２９】
ディスプレイの第１の部分（偶数列）における画素は、この場合、中間メモリ４１４から第２のライン（第２のフレーム番号）からのデータを読み出しうる。一方、ディスプレイの第２の部分（奇数列）における画素は、中間メモリ４１４から上部ライン（第１のフレーム番号）からのデータを読み出しうる。
【００３０】
次のステップでは、第２及び第３のデータが、第２の中間メモリに記憶されて、処理が継続する。
【００３１】
このように、必要とされる列反転が実現され、一方、より小さな参照テーブルが得られる。更なるフレームは、より長い遅延が必要である場合にメモリに読み込まれうる。
【００３２】
更なる実施例では、複数の時間遅延が、制御部４１５によって決定されうる。それによって、ディスプレイの更なる部分が、異なる周期によって遅延されても良い。この場合にも、更なるフレームは、可変な遅延が必要である場合にメモリに読み込まれうる。
【００３３】
最後に、上記論議は、本発明を説明しているに過ぎず、添付の特許請求の範囲を如何なる特定の実施例又は一群の実施例にも限定するように解釈されるべきではない。例えば、制御部４１５は、本発明に従って実行するための専用の処理装置であっても良く、あるいは、多数の機能のうちの一つのみが本発明に従って実行するために動作する汎用の処理装置であっても良い。処理装置は、一つのプログラム部分、即ち多数のプログラムセグメントを用いて動作しても良く、あるいは、専用又は汎用の集積回路を用いるハードウェア装置であっても良い。用いられるシステムの夫々は、また、別のシステムと協働して使用されても良い。従って、本発明は、その特定の実施例を参照して、特に詳細に説明されているが、特許請求の範囲に記載された本発明の更に広義な精神及び適用範囲から外れることなく、多数の変形及び変更が本発明に対して成されうることは、十分に理解されるべきである。従って、本明細書及び図面は、説明手段として見なされるべきであり、特許請求の範囲の適用範囲を限定するものではない。
【００３４】
特許請求の範囲を解釈する際に、次のことが理解されるべきである：
ａ）  語「有する」は、当該請求項に挙げられたもの以外の他の要素又は作用の存在を認めないわけではない；
ｂ）  語「一つの」は、複数の要素の存在を認めないわけではない；
ｃ）  特許請求の範囲の参照番号はいずれも、説明の目的のために使用されるに過ぎず、それらの適用範囲を限定するものではない；
ｄ）  幾つかの「手段」は、同じ項目又はハードウェア若しくはソフトウェアで実施される構造又は機能によって表わされても良い；
開示されている要素の夫々は、ハードウェア部分（例えば、個別電子回路）、ソフトウェア部分（例えば、コンピュータプログラミング）又はそれらの如何なる組合せであっても良い。
【図面の簡単な説明】
【００３５】
【図１】ディスプレイ装置の一部の概略断面図である。
【図２】ディスプレイ装置の一部の等価回路図である。
【図３】例となるライン反転波形を示す。
【図４】メモリを有するディスプレイ装置の概略図である。
【図５】従来技術に従う参照テーブルの構成を示す
【図６】本発明の実施例に従う参照テーブルの構成を示す。
【図１】
2007506135.tif 000003
【図２】
2007506135.tif 000004
【図３】
2007506135.tif 000005
【図４】
2007506135.tif 000006
【図５】
2007506135.tif 000007
【図６】
2007506135.tif 000008
【国際調査報告】
2007506135.tif 000009
2007506135.tif 000010
2007506135.tif 000011
2007506135.tif 000012
2007506135.tif 000013